【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  ユーザーの力を測定するための装置であって：
変形可能な貯蔵器にして、繰り返される流体抜きのテストシーケンスの間に該貯蔵器をユーザーが変形させることによって流体抜きを行うための変形可能な貯蔵器と；
前記変形可能な貯蔵器から吐き出された流体を受容するために、前記変形可能な貯蔵器に流体連通する一定容量箱と；
前記一定容量箱に作動可能に連結された測定手段にして、テストシーケンスの間における前記貯蔵器から前記一定容量箱内への流体排出に結び付いたユーザーの力、作業量、作業率、及び筋肉の収縮速度のなかの少なくとも一つを示す流体パラメターを測定するための測定手段と；
前記指標パラメターを表示するための表示手段にして、前記測定手段に作動可能に接続された表示手段と；を具備するユーザーの力を測定するための装置において、
前記測定手段が、前記一定容量箱内の圧力を測定するための手段を含む、ユーザーの力を測定するための装置。
【請求項２】  前記変形可能な貯蔵器が空気圧式貯蔵器である、請求項１に記載の装置。
【請求項３】  前記空気圧式貯蔵器が、気体を抜いた後のしぼんだ状態から、再び気体抜きを行うための膨張した状態に戻る伸縮性の空気袋である、請求項２に記載の装置。
【請求項４】  前記空気圧式貯蔵器が柔軟性のある折たたみ式の空気袋である、請求項２に記載の装置であって、該装置が、気体を抜いた後のしぼんだ状態から、再び気体抜きを行うための膨張した状態に前記空気袋を再膨張させるためのプラスの圧力供給源を具備する、請求項２に記載の装置。
【請求項５】  前記一定容量箱の容量を制御する手段と、前記一定容量箱の初期圧力を制御する手段と、柔軟性のある折りたたみ式の空気袋に空気を供給するためのプラスの圧力供給源の圧力を制御する手段とのうちの一つ以上をさらに具備する、請求項４に記載の装置。
【請求項６】  前記一定容量箱の容量を選択的に変えることができる、請求項１に記載の装置。
【請求項７】  前記測定手段が、それぞれの流体抜きの開始時間及び終了時間と、流体抜き作業毎にかかる時間と、流体抜きと流体抜きの間隔とを測定する手段を具備する、請求項１に記載の装置。
【請求項８】  前記測定手段が、ユーザーの力、作業量、作業率、筋肉の収縮速度を示すパラメターを計算するための手段を具備する、請求項７に記載の装置。
【請求項９】  継続的なそれぞれの流体抜き後の前記一定容量箱内の圧力がほぼ一定のままであるように、一定容量箱内の圧力を選択的に変動させる変動流出弁を一定容量箱が具備する、請求項１に記載の装置。
【請求項１０】  前記測定手段が：
前記一定容量箱が作動する圧力を測定するための手段；及び、
前記一定容量箱内の一定圧力を制御するための手段、又は前記変動流出弁の設定を変えるための手段；を具備する、請求項９に記載の装置。
【請求項１１】  前記一定容量箱内の初期圧力を選択的に制御するために圧力を発生させる手段をさらに具備する、請求項１に記載の装置。
【請求項１２】  前記空気圧式貯蔵器の入口と出口とに配置された逆止弁を具備する、請求項１に記載の装置であって、前記逆止弁は、ユーザーが空気圧式貯蔵器を動かしている時に該空気圧式貯蔵器からの流体の逆流と、ユーザーが空気圧式貯蔵器を使い終わった後、一定容量箱から空気圧式貯蔵器への流体の逆流とをそれぞれ防止する、請求項１に記載の装置。
【請求項１３】  ユーザーに時間の間隔を示すための手段を具備する、請求項１に記載の装置。
【請求項１４】  前記時間の間隔は、筋肉の収縮のタイミングである、請求項１３に記載の装置。
【請求項１５】  明らかに客観的で偏りのない結果を獲得するために、分析者から独立してテストシーケンスを実施するためのコンピュータによる手段をさらに具備する、請求項１に記載の装置であって：
貯蔵器内の流体が、気体ではなく液体であり；
コンピュータによる手段によって得られたグラフ式表現が、負荷に対してプロットされた、収縮時間と、回復時間と、サイクル頻度と、ポンプ量及び量に相当する圧力の一方と、を含むものであり；
コンピュータによる手段によって導かれたグラフ式表現が、負荷に対してプロットされた、実際の運動量と、達成した力と、容積測定による収縮速度とに関するものであり；
コンピュータによる手段によって計算されたか又は導かれた特定のパラメターのグラフ式表現が、完全なポンプサイクル毎の平均値として、あるいは、短い分割時間のサイクル内の間隔測定値として表され；
貯蔵器内の気体又は液体のいずれかと共に、該装置は、水圧で作動する訓練装置及びスポーツトレーニング装置に、初期的に製造直後に、あるいは既存の装置及び機器に後から取り付けるといういずれかの形で組み入れられ、各活動サイクルの実際の運動量と発生した力とが計算されて表示されることが可能である；請求項１に記載の装置。
【請求項１６】  ユーザーの力を測定するための装置であって：
変形可能な貯蔵器にして、繰り返される流体抜きのテストシーケンスの間に該貯蔵器をユーザーが変形させることによって流体抜きを行うための変形可能な貯蔵器と；
所定の圧力で作動可能な一定圧力弁にして、前記変形可能な貯蔵器に接続されることによって、前記貯蔵器の流体抜きが可能になる前に越えなければならない圧力を特定する一定圧力弁と；
前記一定圧力弁に作動可能に接続された測定手段にして、テストシーケンスの間における前記貯蔵器の流体排出に結び付いたユーザーの力、作業量、作業率、及び筋肉の収縮速度のなかの少なくとも一つを示すパラメターを測定するための測定手段と；
前記指標パラメターを表示するための表示手段にして、前記測定手段に作動可能に接続された表示手段と；を具備する、ユーザーの力を測定するための装置において、
前記測定手段が、前記一定圧力弁から放出される流体の体積を測定するための手段を含む、ユーザーの力を測定するための装置。
【請求項１７】  前記一定圧力弁の作動圧力を選択的に変えることができる、請求項１６に記載の装置。
【請求項１８】  前記一定圧力弁が作動する圧力を測定するための手段を前記測定手段が具備する、請求項１６に記載の装置。
【請求項１９】  前記変形可能な貯蔵器が空気圧式貯蔵器である、請求項１６に記載の装置。
【請求項２０】  前記空気圧式貯蔵器が、気体を抜いた後のしぼんだ状態から、再び気体抜きを行うための膨張した状態に戻る伸縮性の空気袋である、請求項１９に記載の装置。
【請求項２１】  前記空気圧式貯蔵器が柔軟性のある折たたみ式の空気袋である、請求項１９に記載の装置であって、該装置が、気体を抜いた後のしぼんだ状態から、再び気体抜きを行うための膨張した状態に前記空気袋を再膨張させるためのプラスの圧力供給源を具備する、請求項１９に記載の装置。
【請求項２２】  前記測定手段が、それぞれの流体抜きの開始時間及び終了時間と、流体抜き作業毎にかかる時間と、流体抜きと流体抜きの間隔とを測定する手段を具備する、請求項１６に記載の装置。
【請求項２３】  前記測定手段が、ユーザーの力、作業量、作業率、筋肉の収縮速度を示すパラメターを計算するための手段を具備する、請求項２２に記載の装置。
【請求項２４】  前記空気圧式貯蔵器の入口と出口とに配置された逆止弁を具備する、請求項１６に記載の装置であって、前記逆止弁は、ユーザーが空気圧式貯蔵器を動かしている時に該空気圧式貯蔵器からの流体の逆流と、ユーザーが空気圧式貯蔵器を使い終わった後、一定容量箱から空気圧式貯蔵器への流体の逆流とをそれぞれ防止する、請求項１６に記載の装置。
【請求項２５】  ユーザーに時間の間隔を示すための手段を具備する、請求項１６に記載の装置。
【請求項２６】  前記時間の間隔は、筋肉の収縮のタイミングである、請求項２５に記載の装置。